【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
互いに離間しかつ等しい速度で搬送される少なくとも２列の平坦型の印刷紙材の鱗状列流を連続的に統合する方法であり、
まず平坦型の印刷紙材（３）の第１の鱗状列流（２ａ）を両方の鱗状列流（２ａ，２ｂ）間の第１の側方重合領域（ｄ１）を形成しながら第２の鱗状列流（２ｂ）に対して側方に偏位させ、
続いて両方の鱗状列流（２ａ，２ｂ）の印刷紙材（３）を側方の重合が解除されるまで少なくとも前記第１の側方重合領域（ｄ１）内において連続的に持ち上げ、
その後両方の鱗状列流（２ａ，２ｂ）の印刷紙材（３）を少なくとも持ち上げられた側方の重合領域（ｄ１）において順次沈降あるいは落下させて交替で第１あるいは第２の鱗状列流（２ａ，２ｂ）の１枚の印刷紙材（３）がそれぞれもう一方の鱗状列流（２ｂ，２ａ）の１枚の印刷紙材（３）の上方に部分的に延在しそれによって印刷紙材（３）の第２の側方重合領域（ｄ２）を有する単一の鱗状列流（１６ｂ）が形成されるようにする、
ことを特徴とする方法。
【請求項２】
まず第１の鱗状列流（２ａ）を側方に偏位させて第１の側方重合領域（ｄ１）を有する複合鱗状列流（１６）を形成しながら第２の鱗状列流（２ｂ）上に載置し、
続いて両方の鱗状列流（２ａ，２ｂ）の印刷紙材（３）をそれらが前記第１の重合領域（ｄ１）内において互いに分離するまで少なくとも前記第１の側方重合領域（ｄ１）内において連続的に持ち上げ、
その後両方の鱗状列流（２ａ，２ｂ）の印刷紙材（３）を少なくとも持ち上げられた側方の重合領域（ｄ１）において順次沈降あるいは落下させて交替で第１あるいは第２の鱗状列流（２ａ，２ｂ）の１枚の印刷紙材（３）がそれぞれもう一方の鱗状列流（２ｂ，２ａ）の１枚の印刷紙材（３）上に部分的に延在しそれによって印刷紙材（３）の第２の側方重合領域（ｄ２）を有する単一の鱗状列流（１６ｂ）が形成されるようにする、
ことを特徴とする請求項１記載の方法。
【請求項３】
印刷紙材（３）が実質的に第１の側方重合領域（ｄ１）の中央で持ち上げられることを特徴とする請求項１または２記載の方法。
【請求項４】
両方の鱗状列流（２ａ，２ｂ）を第１の側方重合領域（ｄ１）の形成の手前で搬送方向（Ｖ）において所与の位置ずれ（１４）の分相互に偏位させることを特徴とする請求項１ないし３のいずれかに記載の方法。
【請求項５】
両方の鱗状列流（２ａ，２ｂ）の位置ずれ（１４）が調節可能であり、特に搬送方向（Ｖ）に見て両方の鱗状列流（２ａ，２ｂ）のうちのいずれか一方の列流内の連続する２枚の印刷紙材（３）の間の鱗間隔（２７）の半分に相当させることを特徴とする請求項４記載の方法。
【請求項６】
両方の鱗状列流（２ａ，２ｂ）の予め設定された第１の側方重合領域（ｄ１）に依存して位置ずれ（１４）を設定することを特徴とする請求項４または５記載の方法。
【請求項７】
分配装置（１７）を使用して両方の鱗状列流（２ａ，２ｂ）の印刷紙材（３）を持ち上げて前記分配装置（１７）の下流側において中央搬送装置（１５）上に沈降あるいは落下させ、その際印刷紙材（３）を中央搬送装置（１５）への沈降あるいは落下の前に第１のプレス要素（１９ａ）によって前記分配装置（１７）に対して側方に押圧することを特徴とする請求項１ないし６のいずれかに記載の方法。
【請求項８】
少なくとも２個の第１のガイド要素（１５ａ）による持ち上げに際して、また少なくとも２個の第２のガイド要素（１５ｂ）による沈降あるいは落下に際して、ならびに中央搬送装置（１５）への搬送中に分配装置（１７）の側方かつ中央搬送装置（１５）の上方に配置された第２のプレス要素（１９ｂ）を使用して前記中央搬送装置（１５）に対して印刷紙材（３）を押圧することを特徴とする請求項１ないし７のいずれかに記載の方法。
【請求項９】
第２の側方重合領域（ｄ２）が印刷紙材（３）の幅に一致して一様な幅を有する鱗状列流（１６ｃ）が形成されるまで鱗状列流（１６ｂ）の幅を継続的に縮小することを特徴とする請求項１ないし８のいずれかに記載の方法。
【請求項１０】
鱗状列流（１６ｃ）に対して品質検査を実施し、不充分な品質を有した印刷紙材（３）を鱗状列流（１６ｃ）から排除することを特徴とする請求項９記載の方法。
【請求項１１】
それぞれ印刷紙材（３）の１列の鱗状列流（２ａ，２ｂ）を中央搬送装置（１５）に対して搬送するための互いに離間して配置された２個の入力搬送装置（６ａ，６ｂ）と前記中央搬送装置（１５）の領域内に配置されていて鱗状列流（２ａ，２ｂ）のうちの一方の印刷紙材（３）を他方の鱗状列流（２ｂ，２ａ）の印刷紙材（３）に対して分配するための分配装置（１７）を有してなることを特徴とする請求項１ないし１０のいずれかに記載の方法を実施するための装置。
【請求項１２】
入力搬送装置（６ａ，６ｂ）の下流側の末端領域をそれらが実質的に中央搬送装置（１５）の平面内で互いに偏位して当接するとともに入力搬送装置（６ａ，６ｂ）のうちの一方が他方の入力搬送装置（６ｂ，６ａ）との当接部から所与の距離だけ手前で側方に偏位して延在するように構成することを特徴とする請求項１１記載の装置。
【請求項１３】
入力搬送装置（６ａ，６ｂ）の少なくとも一方が搬送方向（Ｖ）において鱗状列流（２ａ，２ｂ）の位置ずれ（１４）を設定するための部分構成要素（９ｂ）を備えることを特徴とする請求項１１または１２記載の装置。
【請求項１４】
入力搬送装置（６ａ，６ｂ）のいずれか一方が関節部材（１０ｃ）によって搬送方向（Ｖ）に対して横断方向に旋回可能な部分構成要素（１０ａ）を備え、その旋回によって鱗状列流（２ａ，２ｂ）の任意の幅の第１の側方重合領域（ｄ１）が得られるようにすることを特徴とする請求項１３記載の装置。
【請求項１５】
分配装置（１７）が分配プラウ（１８）を含むかあるいは分配プラウ（１８）として形成され、前記プラウが特にいずれも少なくとも３つの側面（２０ａ，２０ｂ，２０ｃ）と底面（２０ｄ）を有する２個のピラミッド（２０）の形式を有してなり、前記ピラミッド（２０）がいずれも第１の側面（２０ａ）をもって中央搬送装置（１５）の一平面内に配置されるとともにいずれも各ピラミッド（２０）の第２および第３の側面（２０ｂ，２０ｃ）の間で搬送方向（Ｖ）に対して調節可能な角度（α）をもって延在する縁部（２０ｆ）を備え、その際底面（２０ｄ）が搬送方向（Ｖ）に対して垂直に配置されるとともに各ピラミッド（２０）の縁部（２０ｆ）は搬送方向（Ｖ）と逆方向で共通の頂点（２０ｅ）上で当接することを特徴とする請求項１１ないし１４のいずれかに記載の装置。
【請求項１６】
縁部（２０ｆ）が調節可能な傾斜（β）を有するようにピラミッド（２０）を形成することを特徴とする請求項１５記載の装置。
【請求項１７】
分配装置（１７）の両側に特にプレスローラとして形成された第１のプレス要素（１９ａ）を配置し、そのプレス要素は搬送装置（Ｖ）に対して横断方向である中央搬送装置（１５）上への落下に際して印刷紙材（３）を分配装置（１７）の側面（１８ａ）あるいはピラミッド（２０）の第２の側面（２０ｂ）に対して圧接するように構成することを特徴とする請求項１１ないし１６にいずれかに記載の装置。
【請求項１８】
少なくとも２個の第１のガイド要素（１５ａ）および／または少なくとも２個の第２のガイド要素（１５ｂ）をいずれも分配装置（１７）の側方の上流および／または下流に配置することを特徴とする請求項１１ないし１７のいずれかに記載の装置。
【請求項１９】
第１および第２のガイド要素（１５ａ，１５ｂ）は搬送方向（Ｖ）に対し横断方向および／または搬送方向において相互間の距離を調節可能であることを特徴とする請求項１８記載の装置。
【請求項２０】
搬送方向（Ｖ）において分配装置（１７）の側方ならびに中央搬送装置（１５）の上方に２個の第２のプレス要素（１９ｂ）を配置し、それらが印刷紙材（３）を中央搬送装置（１５）に対して圧接するように構成することを特徴とする請求項１１ないし１９のいずれかに記載の装置。
【請求項２１】
分配装置（１７）の下流側に押合わせ装置（２２）を配置し、それが単一の鱗状列流（１６ｃ）を形成するために中央搬送装置（１５）の各側部上に少なくとも１個のガイド要素（２２ａ）を備えてなり、前記ガイド要素は鱗状列流（１６ｂ）の中心方向への印刷紙材（３）の摺動を行いその印刷紙材（３）の摺動後に第２の側方重合領域（ｄ２）を印刷紙材（３）の幅と一致させるよう作用する構成とすることを特徴とする請求項１１ないし２０のいずれかに記載の装置。
【請求項２２】
押合わせ装置（２２）の下流側にセンタリング装置（２３）を配置することを特徴とする請求項２１記載の装置。
【請求項２３】
押合わせ装置（２２）またはセンタリング装置（２３）の下流側に特に排出転轍器（２４ｃ）等の排出装置を備えた検査装置（２４）を配置することを特徴とする請求項２１または２２記載の装置。